(57)【特許請求の範囲】
【請求項１】
中間周波帯域のテレビジョン信号を送信すべきチャンネルのテレビジョン信号にアップコンバートする混合器と、前記送信すべきチャンネルのテレビジョン信号を通過させる帯域通過フィルタとを備え、前記中間周波帯域の内に減衰極周波数を有するトラップ回路を前記混合器の前段に設けたことを特徴とするテレビジョン信号送信機。
【請求項２】
前記減衰極周波数を変えられるようにしたことを特徴とする請求項１記載のテレビジョン信号送信機。
【請求項３】
前記トラップ回路による減衰量を変えられるようにしたことを特徴とする請求項１または２記載のテレビジョン信号送信機。
【請求項４】
前記トラップ回路を共振回路で構成し、前記共振回路の共振周波数とＱとを変えられるようにしたことを特徴とする請求項３記載のテレビジョン信号送信機。
【請求項５】
前記共振回路を可変抵抗素子と可変容量素子とインダクタンス素子とを直列に接続して構成したことを特徴とする請求項４記載のテレビジョン信号送信機。
【請求項６】
直列接続された前記可変抵抗素子と可変容量素子とインダクタンス素子とにスイッチダイオードを直列接続したことを特徴とする請求項５記載のテレビジョン信号送信機。
【発明の詳細な説明】
【０００１】
【発明の属する技術分野】
本発明は、例えば、ＣＡＴＶシステムで使用されるテレビジョン信号送信機に関する。
【０００２】
【従来の技術】
図６は従来のテレビジョン信号送信機の主要部の回路構成を示す。図６において、中間周波帯域のテレビジョン信号（以下、ＩＦ信号という）はレベル調整回路２１を経て混合器２２に入力される。そして、局部発振器２３から入力される局部発振信号と混合されて送信すべきチャンネルのテレビジョン信号（以下、ＲＦ信号という）にアップコンバートされる。局部発振器２３はバラクタダイオードを有する電圧制御発振器で構成され、送信すべきチャンネルは局部発振信号の周波数（局部発振周波数）によって設定される。
【０００３】
ＲＦ信号は縦続接続された複数段（図６では３段）の増幅器２４、２５、２６によって所定のレベルまで増幅される。また、それぞれの増幅器２４、２５、２６の次段には帯域通過フィルタ２７、２８、２９が設けられ、これによって帯域外の不要なスプリアス信号が除去されてシステムの加入者に送信される。
【０００４】
帯域通過フィルタ２７、２８、２９は共に同一構成を有し、その伝送特性は図７に示すように、映像搬送波Ｐと音声搬送波Ｓとの間がほぼフラットになるように設定されている。また、これらの帯域通過フィルタ２７、２８、２９はバラクタダイオード（図示せず）を有し、局部発振周波数に対応して通過帯域の中心周波数が変わるようになっている。そのために、局部発振器２３と帯域通過フィルタ２７、２８、２９には周波数を設定するための共通の制御電圧が印加される。
【０００５】
【発明が解決しようとする課題】
しかしながら、従来のテレビジョン信号送信機においては、ＲＦ信号に妨害を与えるスプリアス信号を除去するために複数のバンドパスフィルタを縦属して設けているので、増幅器２４からバンドパスフィルタ２９までの伝送特性をみると、図８に示すように、いわゆる単峰特性となって、映像搬送波Ｐと音声搬送波Ｓとの間のレベルが平坦とならずに、映像搬送波Ｐと音声搬送波Ｓとのレベルがそれらの中間の周波数におけるレベルに対して低下する。このため、復調後の映像信号の周波数特性が悪くなって画像品質が低下する。
【０００６】
そこで、本発明のテレビジョン信号送信機は、送信すべきチャンネルのテレビジョン信号のレベルを帯域内で平坦にすることを目的とする。
【０００７】
【課題を解決するための手段】
上記の課題を解決するため、本発明のテレビジョン信号送信機においては、中間周波帯域のテレビジョン信号を送信すべきチャンネルのテレビジョン信号にアップコンバートする混合器と、前記送信すべきチャンネルのテレビジョン信号を通過させる帯域通過フィルタとを備え、前記中間周波帯域の内に減衰極周波数を有するトラップ回路を前記混合器の前段に設けた。
【０００８】
また、本発明のテレビジョン信号送信機は、前記減衰極周波数を変えられるようにした。
【０００９】
また、本発明のテレビジョン信号送信機は、前記トラップ回路による減衰量を変えられるようにした。
【００１０】
また、本発明のテレビジョン信号送信機は、前記トラップ回路を共振回路で構成し、前記共振回路の共振周波数とＱとを変えられるようにした。
【００１１】
また、本発明のテレビジョン信号送信機は、前記共振回路を可変抵抗素子と可変容量素子とインダクタンス素子とを直列に接続して構成した。
【００１２】
また、本発明のテレビジョン信号送信機は、直列接続された前記可変抵抗素子と可変容量素子とインダクタンス素子とにスイッチダイオードを直列接続した。
【００１３】
【発明の実施の形態】
図１は本発明のテレビジョン信号送信機の主要部の回路構成を示す。図１において、中間周波帯域のテレビジョン信号（以下、ＩＦ信号という）は可変減衰器あるいは利得制御増幅器等のレベル調整回路１を経て混合器２に入力される。混合器の２の前段には可変抵抗素子３ａとインダクタンス素子３ｂと可変容量素子３ｃとが互いに直列に接続されて構成された直列共振回路３が設けられ、この共振回路３はレベル調整回路１と混合器２とを結ぶ信号線路とグランドとの間に接続される。
【００１４】
直列共振回路３は可変容量素子３ｃの容量値を変えれば共振周波数が代わり、その共振周波数をＩＦ信号の映像搬送波ｐと音声搬送波ｓとの間に設定すれば図２に示すような伝送特性を有してＩＦ信号を減衰するためのトラップ回路として働く。この共振周波数は減衰極周波数となる。また、可変抵抗素子３ａの抵抗値を変えればＱが変わることによってその減衰量が変わる。
【００１５】
混合器２には局部発振器４か局部発振信号が入力される。そして、ＩＦ信号は局部発振信号と混合されて送信すべきチャンネルのテレビジョン信号（以下、ＲＦ信号という）にアップコンバート（周波数変換）される。局部発振器４はバラクタダイオード（図示せず）を有する電圧制御発振器で構成され、図示しないＰＬＬ回路から出力される制御電圧Ｖｃによって所定の局部発振周波数（ＲＦ信号の周波数よりもＩＦ信号の周波数だけ高い）となるように制御される。
【００１６】
ＲＦ信号は縦続接続された複数段（図１では３段）の増幅器５、６、７によって所定のレベルまで増幅される。また、それぞれの増幅器５、６、７の次段には帯域通過フィルタ８、９、１０が設けられ、これらによってＲＦ信号の帯域外の不要なスプリアス信号が除去されてシステムの加入者に送信される。
【００１７】
帯域通過フィルタ８、９、１０は、例えばバラクタダイオード（図示せず）を備えた復同調回路からなり同一構成を有している。そして、バラクタダイオードによって同調周波数が変えられる。そして、制御電圧Ｖｃがバラクタダイオードに印加されるので、局部発振周波数の変化に対応して通過帯域の中心周波数が変わるようになっている。
【００１８】
ここで、各帯域通過フィルタ８、９、１０の伝送特性は、映像搬送波Ｐと音声搬送波Ｓとの間がほぼフラットになるように設定されているが、３段の縦続接続となっているので、増幅器５から帯域通過フィルタ１０までの伝送特性は、ほとんどのチャンネルにおいて図３に示すように、映像搬送波Ｐのレベルと音声搬送波Ｓのレベルとがそれらの間のレベルに対して低くなっている。従って、混合器２に入力されるＩＦ信号が中間周波数帯域内でフラットになっているとＲＦ信号の周波数特性は図３に示す伝送によって帯域の中心部で高く、帯域の両側では低くなる、いわゆる単峰特性となる。。
【００１９】
ところが、混合器に入力されるＩＦ信号の帯域の中心部が直列共振回路３によって減衰されるので、混合器２の入力端から帯域通過フィルタ１０間での全体の伝送特性はほぼ平坦となり、ＲＦ信号は図４に示すように映像搬送波Ｐから音声搬送波Ｓまでの帯域でほぼフラットになる。
【００２０】
ところで、各帯域通過フィルタ８、９、１０の通過中心周波数はＲＦ信号のチャンネルの周波数に対応しているので、周波数が変わると同調回路のＱも変化し、映像搬送波Ｐと音声搬送波Ｓとにおける伝送レベルよりもそれらの中間の周波数における伝送レベルが低くなる場合がある。このような場合に共振回路３によって中間周波帯域のＩＦ信号のレベルを減衰するとＲＦ信号では映像搬送波Ｐと音声搬送波Ｓのレベルがますます高くなる。
【００２１】
そこで、図５に示すように、共振回路３にはスイッチダイオード３ｄを直列に設けて、帯域通過フィルタ８、９、１０の伝送特性に応じてこのスイッチダイオード３ｄをオンまたはオフするようにすればよい。
【００２２】
【発明の効果】
以上のように、本発明のテレビジョン信号送信機は、中間周波帯域のテレビジョン信号を送信すべきチャンネルのテレビジョン信号にアップコンバートする混合器と、送信すべきチャンネルのテレビジョン信号を通過させる帯域通過フィルタとを備え、中間周波帯域の内に減衰極周波数を有するトラップ回路を混合器の前段に設けたので、帯域通過フィルタの伝送特性が帯域の中央部で高くなり映像搬送波および音声搬送波におけるレベルが低くなっても、入力される中間周波帯のテレビジョン信号の帯域の中央部がトラップ回路によって減衰されるので、送信されるテレビジョン信号のレベルはその帯域でほぼフラットになる。
【００２３】
また、本発明のテレビジョン信号送信機は、減衰極周波数を変えられるようにしたので、帯域通過フィルタの通過帯域に傾斜があっても送信されるテレビジョン信号のレベルをその帯域内でほぼフラットにすることができる。
【００２４】
また、本発明のテレビジョン信号送信機は、トラップ回路による減衰量を変えられるようにしたので、帯域通過フィルタの伝送特性に対応して送信されるテレビジョン信号のレベルをその帯域内でほぼフラットにすることができる。
【００２５】
また、本発明のテレビジョン信号送信機は、トラップ回路を共振回路で構成し、共振回路の共振周波数とＱとを変えられるようにしたので、一層フラットにできる。
【００２６】
また、本発明のテレビジョン信号送信機は、共振回路を可変抵抗素子と可変容量素子とインダクタンス素子とを直列に接続して構成したので、減衰極周波数と減衰量とを帯域通過フィルタに対応して簡単に変えられる。
【００２７】
また、本発明のテレビジョン信号送信機は、直列接続された可変抵抗素子と可変容量素子とインダクタンス素子とにスイッチダイオードを直列接続したので、帯域通過フィルタの伝送特性がフラットであればトラップ回路を簡単に切り離すことができる。
【図面の簡単な説明】
【図１】本発明のテレビジョン信号送信機の回路構成図である。
【図２】本発明のテレビジョン信号送信機に使用するトラップ回路の構成図である。
【図３】本発明のテレビジョン信号送信機における帯域通過フィルタの伝送特性図である。
【図４】本発明のテレビジョン信号送信機におけるテレビジョン信号の伝送特性図である。
【図５】本発明のテレビジョン信号送信機に使用するトラップ回路の他の構成図である。
【図６】従来のテレビジョン信号送信機の回路構成図である。
【図７】従来のテレビジョン信号送信機における帯域通過フィルタの伝送特性図である。
【図８】従来のテレビジョン信号送信機における帯域通過フィルタの伝送特性図である。
【符号の説明】
１  レベル調整回路
２  混合器
３  直列共振回路（トラップ回路）
３ａ  可変抵抗素子
３ｂ  インダクタンス素子
３ｃ  可変容量素子
４  局部発振器
５、６、７  増幅器
８、９、１０  帯域通過フィルタ
【図１】
0003592153.tif 000002
【図２】
0003592153.tif 000003
【図３】
0003592153.tif 000004
【図４】
0003592153.tif 000005
【図５】
0003592153.tif 000006
【図６】
0003592153.tif 000007
【図７】
0003592153.tif 000008
【図８】
0003592153.tif 000009